(57)【要約】【課題】本発明では、幌の使用時には外的環境に適した任意の被覆状態を得ることができ、収納時には、見栄えよくスムーズに収納することができる乳母車用幌体の提供を目的とする。【解決手段】乳母車Ａの上側を覆う乳母車用幌体であって、上記幌体２２の前側縁部の形状沿いにカバー２０、３２、５２、６２の上端を付設し、上記カバー２０、３２、５２、６２の外端縁部に、該カバー２０、３２、５２、６２を弛張する上記前側縁部の形状と略同形の芯材１０、５３を付設した乳母車用幌体１４、３１、４１、５１、６１。【選択図】    図１
2004291930.tif 000002
【特許請求の範囲】
【請求項１】
乳母車の上側を覆う乳母車用幌体であって、
幌体の前側縁部の形状沿いにカバーの上端部を付設し、
上記カバーの下端縁部に、上記幌体の前側縁部の形状と略同形の芯材を付設した乳母車用幌体。
【請求項２】
前記カバーを折り畳んだときの該カバー、又は／及び、上記芯材を収納する収納手段を前記幌体の前側縁部に形成した
請求項１に記載の乳母車用幌体。
【請求項３】
前記カバーをメッシュ状に形成した
請求項１、又は、２に記載の乳母車用幌体。
【請求項４】
前記幌体の前側縁部に、前記カバーが上記前側縁部に対して分離可能な着脱手段を形成した
請求項１、２、又は、３に記載の乳母車用幌体。
【請求項５】
前記幌体の前側縁部と前記芯材との間のカバー面における所定部位に、前記カバーを伸張する前記芯材と略同形の芯材を付設した
請求項１から４のいずれか１つに記載の乳母車用幌体。
【請求項６】
上記幌体の後側縁部の形状沿いにカバーの上端部を付設し、
上記カバーの外端縁部に、該カバーを弛張する上記後側縁部の形状と略同形の芯材を付設した
請求項１から５のいずれか１つに記載の乳母車用幌体。
【発明の詳細な説明】
【０００１】
【発明の属する技術分野】
この発明は、幌を備えた乳母車に関し、特に、あらゆる天候状態、あるいは、埃、虫等の外的要因に応じてスムーズに対処し、乳幼児を快適な状態で保護することができる乳母車用幌体に関するものである。
【０００２】
【従来の技術】
従来、乳母車用の幌、又は、幌と同様に外的要因に対処する機能を有した様々な乳母車用カバーが提案されている。例えば、乳母車の座席部の後側における上側、左右両側、背面側をそれぞれ幌体で覆い、座席部の前部については、回動可能な風防用フードを別途設け、通常は幌体の内側に収納しておき、使用時には、該風防用フードを座席部の前側まで回動させることで幌体と風防用フードとで略全体を覆うという先行技術が提案されている（特許文献１参照）。
【０００３】
しかし、上述した技術の場合、座席部の略全体を覆うことができるが、幌体と風防用フードとは、一体で形成していないため、それぞれの間に隙間が生じてしまう。よって、この間から、例えば、風雨、虫、騒音等の外的要因の影響を受けてしまうため、乳幼児を快適な状態に確保することができない。
【０００４】
さらに、座席部の前部に位置し、該前部を保護している状態の風防用フードにおいて、上端の高さはそのままの状態に維持し、下端を任意の高さまで持ち上げることで任意の大きさだけ開口することができるが、風防用フードが内側に突出した状態となり、乳幼児は圧迫感を感じるだけでなく、見栄えも悪い。しかも、この際、ブロック敷設路、砂利道などの凹凸路を走行する場合や、風が吹いているときには、風防用フードは、幌と一体に形成していないため、風防用フードだけ下に下げ落ちてしまうことも考えられる。
【０００５】
また、他の先行技術として、幌体の前端部に鍔状の日除け部材を形成して日光から乳幼児を保護する乳母車用幌体先行技術が提案されている（特許文献２参照）。
【０００６】
上述した先行技術の場合、日除け部材の大きさは、一意に決まっているため、日除け部材を突出すか、又は、幌の裏面に折り畳むかの２通りの選択しかなく、日除け部材の大きさの範囲で任意に調節することができない。
【０００７】
さらに、他の先行技術として、乳母車の本体上に設けられたカバーを、使用しない時は、小さく折り畳んだ状態で収納することができる技術も提案されている（特許文献３参照）。
【０００８】
上述した先行技術の場合、カバーを完全に所定部位に固定するか、収納するかのいずれか一方しか選択できず、利用者は例えば天候の度合いによって、あるいは、使用目的に応じて任意の機能、又はサイズのカバーを用いることができない。
しかも、収納時には、布状のカバーをいちいち折り畳む必要があるため、手間を要し面倒である。
【０００９】
【特許文献１】
実公平０２−２５３６５号公報
【特許文献２】
特開２００２−１８７５５４号公報
【特許文献３】
特開平０２−２８０５９号公報。
【００１０】
【発明が解決しようとする課題】
そこで、本発明では、幌の使用時には外的環境に適した任意の被覆状態を得ることができ、収納時には、見栄えよくスムーズに収納することができる乳母車用幌体の提供を目的とする。
【００１１】
【課題を解決するための手段】
乳母車の上側を覆う乳母車用幌体であって、上記幌体の前側縁部の形状沿いにカバーの上端部を付設し、上記カバーの外端縁部に、該カバーを弛張する上記前側縁部の形状と略同形の芯材を付設した乳母車用幌体であることを特徴とする。
【００１２】
上述の構成によれば、芯材を下方に少しスライドさせる、又は、回動する等すれば、カバーは芯材により受動的に下方に引張られて張設できる。
【００１３】
さらに、前記芯材を形成することでカバーを所定の外観形状に形成できるとともに、カバー内に一定の空間を確保できるため、該カバー内が蒸れることもなく、しかも、幼児に窮屈感を与えなることもない。
【００１４】
前記カバー、又は／及び、上記芯材を収納する収納手段を前記前側縁部に形成した乳母車用幌体であることを特徴とする。
【００１５】
上述した構成を採れば、カバー収納時においては、芯材をカバーごと幌体の前側端部まで持ち上げて、該芯材とカバーとを、上記収納手段を用いて収納することができる。これにより、乳母車には、上側の幌体のみが形成された状態となる。
【００１６】
前記収納手段は、ポケット、又は、袋状の収納手段にカバー、又は／及び、上記芯材を収納する、又は、収納後に収納手段に形成したファスナ、面ファスナ等の固定手段で固定することを含む。さらに、前記幌の前側縁部に、先端部に面ファスナ、スナップ等の固定手段を添着したベルト状の繋止部材を形成し、該繋止部材で芯材を、繋止して収納してもよい。
【００１７】
また、前記カバーをメッシュ状にしてもよい。この場合、上記カバーの全体をメッシュ状に形成する、あるいは、カバーにおける所定の部位を所定の大きさでの窓部を複数個形成することを含み、上記窓部は、通気孔、網目等のメッシュ状に配設して構成することを含む。
【００１８】
さらに、前記幌体の前側縁部に、前記カバーが上記前側縁部に対して分離可能な着脱手段を形成した乳母車用幌体であることを特徴とする。
【００１９】
上述の構成によるカバーを取り外せば、収納時には幌体の前側縁部には、完全にカバー、及び、芯材が存在しなくなるため、すっきりして見栄えもよくなる。
【００２０】
また、カバーを分離して幌から取り外し、さらに、上記メッシュ状のカバーと付け換える等しても構わない。
【００２１】
さらに、幌体とカバーとを分離してカバーのみを水洗いすることもできる。なお、幌体は乳母車から取り外して水洗いすることができる。
【００２２】
また、前記幌体の前側縁部と前記芯材との間のカバー面における所定部位に、前記カバーを伸張する前記芯材と略同形の芯材を付設した乳母車用幌体であることを特徴とすることができる。
【００２３】
上記芯材は、任意の数を用いて形成することを含む。上記構成を採れば、該芯材がカバー面に対して内側に位置するように付設した場合、被覆時には芯材がカバーの接触面を押圧することで伸張し、膨らみをもたせることができるため乳幼児に圧迫感を与えない。
【００２４】
収納時にも、下端部の芯材と上記前側縁部との間の距離が長いとその間にカバー面が乳母車の内側に折り込んだ際に突き出してしまうが、これに対して、所定の数の芯材を形成した場合には、芯材間、あるいは、前側端部と芯材間のカバーを乳母車への内側へ折り込んだ時の折り込み量を小さくすることができるため、乳母車の内側に突き出して乳幼児に圧迫感を与えることもない。
【００２５】
上記幌体の後側縁部の形状沿いにカバーの上端部を付設し、上記カバーの外端縁部に、該カバーを弛張する上記後側縁部の形状と略同形の芯材を付設した乳母車用幌体であることを特徴とすることができる。
【００２６】
上記構成をとれば、乳母車の後方からの外的要因に対しても乳幼児を保護することができ、例えば、激しく雨が降っても乳幼児を確実に保護することができる。
【００２７】
【発明の効果】
この発明によれば、カバーを垂下した状態においてもカバーの内側には、一定の空間を確保することでカバー自体が乳幼児の顔に接触したりせず、頭部から一定の間隔を保って、幼児に圧迫感を与えることがなく乳幼児を保護することができる。
【００２８】
さらに、芯材によりカバー面には張力が与えられるので皺がなく乳幼児は、カバー内側から外側をはっきりとみることができ、しかも、見栄えよくカバーを垂下した状態に保つことができる。
【００２９】
また、収納手段を形成することで、カバー、又は、芯材をコンパクトに見栄えよく収納することができ、持ち運びにも便利である。
【００３０】
カバーは、乳母車に被覆する必要はなく、乳母車の上側に位置する幌の端部から、収納手段から該カバーを開放するだけで受動的にカバーを垂下させるだけで乳幼児を容易に保護することができ、乳母車に対して上側から被覆したり、又は、取り外したりする手間を要しない。
【００３１】
なお、カバーの材質を硬めの材質を用いて形成すれば、カバー下端部の芯材の位置を変えることにより、被覆する量を天候や外的環境に適した任意の被覆状態まで調節することができる。
【００３２】
前記幌体の前側縁部に、カバーが前側縁部に対して分離可能な着脱手段を形成した場合、コンパクトに、且つ容易にカバーを収納することができ、しかも収納後の幌体を見栄えのよい状態に保つことができる。
【００３３】
また、カバーを着脱可能とする着脱手段をカバーの上端部と幌体の端部とに形成した場合、用途に応じて上述したメッシュ状、又は、遮光機能を有するカバーを幌体に付け換えれば、いちいち用意する必要がないため、コストを削減することができるとともに、持ち運びの際に所定の数のカバーを携帯しおけば１つの幌体で賄えるため、荷物にならない。
【００３４】
特にメッシュ状のカバーを用いれば、カバー内の通気性を確保することができるとともに、虫や埃から乳幼児を保護することができる。
【００３５】
また、幌体の前側縁部と芯材との間のカバー面における所定部位に、前記カバーを伸張する前記芯材と略同形の芯材を付設すれば、大きなカバー面を形成することができるため、乳幼児の前面に対応する部位で乳幼児の略全体を被覆して保護することができる。
【００３６】
幌体の後側縁部の形状沿いにカバーの上端部を付設し、カバーの外端縁部に、該カバーを弛張する上記後側縁部の形状と略同形の芯材を付設した場合、カバーを乳母車の後側で垂下してやれば、乳母車の座席の上側と幌体との隙間を塞ぐ形態で覆うことができるため、幼児を確実に保護することができる。
【００３７】
【発明の実施の形態】
この発明の一実施形態を、以下図面を用いて説明する。
図１に示すごとく、乳母車Ａの外観構成については、乳母車Ａの下部に、前輪１８ａと後輪１８ｂとを備え、前輪１８ａの上部には幼児が足を置く踏み台１１を形成している。さらに、該踏み台１１の上側には中部から上部にかけて座席部１２ａと背当て部１２ｂとを備えた座席用マット部材１２を、金属製で、且つ、形状が断面視すると円筒状の枠部材１３で支持し、該枠部材１３の後側上部には、保護者が乳母車Ａの背面から該乳母車Ａを押し動かすための水平のバー１３ａを備えている。
【００３８】
さらに、上記座席用マット部材１２の上側には、乳母車用幌体１４が乳母車Ａに取り付けているが、特に幌体本体部２２の構成は、略菱形をした部材を中心で湾曲させて、乳母車Ａに対して前方から見てＵ字形をした形状で形成している。
【００３９】
上記幌体本体部２２は、撥水性の合成樹脂繊維で形成した柔軟なシート材１５を用いて形成し、該シート材１５の前側端部、及び、後側端部にステッチを形成して、該ステッチ内にＵ字形をして断面視が平板状をした芯材１６ａ、１６ｂをそれぞれ掛け渡して構成する。乳母車Ａの左右両側に位置する上記２本の芯材１６ａ、１６ｂの両端部の結合部１７は、ベアリング、及び、軸等を用いて、該２本の芯材１６ａ、１６ｂがそれぞれ単独で回動可能とする構造に形成している。
【００４０】
また、乳母車Ａに対して前方方向における前側縁部と後側縁部の間の中間部にも、上述した２本の芯材１６ａ、１６ｂよりも長さが短く、太さも細い乳母車に対して正面視するとＵ字形に屈曲させた針金で形成した芯材１６ｃを備え、該芯材１６ｃも、ステッチ内に掛け渡されている。
【００４１】
さらに、上記左右両側における各結合部１７の上方には、芯材１６ａ、１６ｂを回動させる際、幌体本体部２２の形状が崩れないように維持するとともに、幌体本体部２２が所定の角度までしか広がらないようにするためにリンク構成を採り、芯材１６ａ、１６ｂを所定角度まで回動可能とするストッパ１９を形成している。
【００４２】
上述の構成により、上記幌体本体部２２は乳母車Ａの前後方向に容易に幌体本体部２２のシート材１５を広げることができる。
【００４３】
しかも、上記左右両側の結合部１７の軸には合成樹脂で形成した該凹部材を前記乳母車Ａの円筒状枠体に嵌合させて乳母車Ａに乳母車用幌体１４を取り付けているための凹部材も回動可能に形成している。このため、乳母車用幌体１４の乳母車Ａへの取り付け高さは、左右両側の枠部材１３のいずれの部位に取り付けても構わないため、幼児の高さに適した高さで乳母車Ａに乳母車用幌体１４を取り付けることができる。
【００４４】
特に、折り畳み式のバギータイプの乳母車の場合、該乳母車の購入時に幌体が取り付けられていないものが殆どである。これに対して、上述した乳母車に取り付け可能な乳母車用幌体１４であれば、バギータイプの乳母車を使用可能な状態にして上記枠部材１４に上記凹部材を嵌合させれば該バギータイプの乳母車であっても勿論、乳母車用幌体１４をとりつけて使用することができる。
【００４５】
さらに、幌体本体部２２の表面の前側縁部における上側には、後述するカバー２０を収納するための収納テープ片２１を逢着し、該収納テープ片２１の先端部には所定の間隔ごとにスナップ２１ａの一方の側を形成し、さらにまた、幌体本体部２２の裏側にも上記収納テープ片２１を該幌体本体部２２の裏面に折り込んだときに、上記スナップ２１ａの一方の側と重合するスナップ２１ａの他方の側を形成している。なお、カバー２０を使用時に、すなわち、収納テープ片２１を使用しない時には、該収納テープ片２１を半分に折り畳んで固定しておくために、上記スナップ（図２（ｃ）の２１ｂ）を収納テープ片２１に形成した面と反対の面に折り畳んだときに重合する所定の各部位に一対のスナップ（図２（ｃ）の２１ｂ）を形成している。
以上が乳母車用幌体１４の特に幌体本体部２２の主要な構成である。
【００４６】
さらに、上述した幌体本体部２２の前記前側縁部には、撥水性、及び、紫外線カットする機能を有する透明の合成樹脂で形成した柔軟なカバー２０で、幌体本体部２２のシート材１５と略同一の大きさを有するカバー２０の上端部を逢着し、該カバー２０の外端部（下端部）には、前記幌体本体部２２の前側端部の芯材１６ａと略同一のＵ字形で、且つ、略同一の大きさを有する芯材１０を逢着している。
なお、前記芯材１０の両端部は、幌体本体部２２の結合部１７に、該幌体本体部２２の芯材１６ａ、１６ｂの両端部の結合部１７への取り付け構造と同一の構造で形成している。
【００４７】
万一、カバー２０を備えていない幌体（幌体本体部２２）のみを乳母車Ａの上側に取り付けて、特に日差しが強い日に使用する場合、幌体本体部２２の結合部１７を乳母車Ａに対して前後方向に回動させて、該幌体本体部２２を前後に可動範囲の限界まで伸張すれば、幼児の頭部への日差しは防げるが、乳母車Ａへの日差しの入射角度によっては、幼児の顔に光が入射してしまうことがあり、幼児に不快感を与えてしまうだけでなく、目を痛めてしまう等完全に幼児を保護することができない。
【００４８】
これに対して、図１に示すごとく、上記構成を採るカバー２０を備えた乳母車用幌体１４を乳母車Ａの上側に取り付けた場合、該カバー２０を幌体本体部２２の前端部から垂下させれば、該カバー２０は、幼児の顔を前方で完全に覆う状態となるため、入射光が幼児の顔に対して如何なる角度で入射する光を完全に遮ることができる。つまり、この形態のカバー２０を備えた幌体本体部２２を用いることで幼児の顔を保護することができ、特に、顔に直接吹き付ける風、排気ガス等の外的要因から幼児の顔、及び、首までも保護することができる。
【００４９】
さらに、カバー２０の外端部（下端部）にＵ字形の芯材１０を逢着しているため、カバー２０は、横断面Ｕ字形の一定の形状を維持することができる。すなわち、カバー２０の内側に、垂下した状態においても一定の空間を確保することでカバー２０自体が幼児の顔に接触したりせず、頭部から一定の間隔を保って、幼児に圧迫感を与えることがない。
【００５０】
しかも、芯材によりカバー面には張力が与えられるので皺がなく乳幼児は、カバー内側から外側をはっきりとみることができ、しかも、見栄えよくカバーを垂下した状態に保つことができる。
【００５１】
カバー２０（芯材１０も含む）を収納する時には、図２の（ａ）に示すごとく、保護者は、カバー２０外端部の芯材１０を幌体本体部２２の前側縁部まで持ち上げ、この持ち上げる動作の際、乳母車Ａの内側に受動的に蛇腹状に折り込まれたカバー２０を介して、上記芯材１０を該幌体本体部２２の前側端部の芯材１６ａに接触させる。そして、図２の（ｂ）に示すごとく保護者は、上記収納テープ片２１を、スナップ２１ｂを外して開放し、該芯材１０とカバー２０とを一体にして包みながら幌体本体部２２の裏面まで折り込み、さらに、図２の（ｃ）に示すごとく該収納テープ片２１に形成したスナップ２１ａの一方の側と、該幌体の裏面に形成したスナップ２１ａの他方の側とで上記収納テープ片２１を係止して封着すれば、カバー２０と芯材１０とを見栄えよくコンパクトに収納することができ、カバー２０が乳母車Ａの内側に（幼児の方向へ）突き出して幼児に圧迫感を与えることがない。
また、上述のごとく撥水性を有する収納テープ片２１で封着すれば、雨天時においても折り込んだカバー２０の隙間に水滴が入り込むことがない。
【００５２】
さらに、他の実施形態として、図３に示すごとくカバー３２をメッシュ状に形成してもよい。上記メッシュ状のカバー３２を形成した幌体３１を用いれば、カバー３２内の通気性を確保し、且つ、顔に虫や埃が接触することを防ぐことができるので、特にキャンプや祭りの時の使用には最適である。
【００５３】
また、他の実施形態として、上述した実施形態のごとくカバー２０、３２の上端部を幌体本体部２２の前側端部に直接逢着して、幌体本体部２２とカバー２０、３２を一体にせずに、図４に示すごとく、スライドファスナの一方の係合縁４２ａを幌体本体部２２の前側縁部に逢着し、該スライドファスナの他方の係合縁４２ｂをカバー２０の上端部に逢着して上記一対のスライドファスナ４２を用いて幌体本体部２２とカバー２０とを互いに係止、又は、離間可能とする乳母車用幌体４１を形成することができる。
【００５４】
上記構成を採れば、カバー２０を幌体本体部２２に取り付ける、あるいは取り外す場合は、スライダ４２ｃを用いて一機に着脱動作をすることができ、容易に行うことができる。
例えば、用途に応じて上述したメッシュ状、又は、遮光機能を有するグレースモーク色、ブラウンハーフ色等のカバー２０を幌体本体部２２に逢着したカバー２０と一体の形態を採る幌体４１をいちいち用意する必要もなく、目的、外的環境に応じた機能を備えたカバー２０のみを取換えて使用することができるため、コストを削減することができるとともに、持ち運びの際に所定の数のカバー２０を携帯しおけば１つの幌体本体部２２で賄えるため、荷物にならない。
【００５５】
なお、カバー２０が不使用時にはスライドファスナ４２を離間して該カバー２０（及び、芯材１０）を取り外してもよいし、あるいは、収納テープ片２１を用いて収納しても構わない。
【００５６】
さらに、図５に示すごとく、他の実施の形態として、上記カバー２０を垂下する方向に略３倍の大きさに形成し、該カバー５２を垂下させた時に、前記幌体幌体本体部２２の前側縁部と前記芯材１０との間のカバー５２面における中間に相当する部位に、カバー５２裏面から該カバー５２面を伸張する前記カバー外端部の芯材１０と略同形の芯材５３を付設する。
【００５７】
上記構成を採れば、上記カバー５２は、垂下させると乳母車Ａの前側、及び、左右両側から幼児の略全体を保護する大きさを備え、且つ、上述した形態で幌体本体部２２に形成しているため、保護者は、カバー５２を使用する際に、わざわざカバー５２を乳母車Ａの上方から被覆する必要もない。
【００５８】
すなわち、保護者は、カバー５２（及び芯材１０、５３）が収納テープ片２１に収納されている状態において、前記スナップ２１ａを離間して収納テープ片２１で封着したカバー５２と芯材１０、５３とを解放してやれば、乳母車Ａに対して内側方に蛇腹状に折り込まれたカバー５２は、芯材１０、５３の重量によって受動的に垂下する。
【００５９】
これにより、例えば、突然の降雨においてもカバー５２は、幼児の略全体を容易に覆うことができる。さらに、中間部に付設した芯材５３を形成することでカバー５２を所定の外観形状に形成できるとともに、カバー５２内は一定の空間を確保できるため、カバー５２内が蒸れることもなく、しかも、幼児に窮屈感を与えない乳母車用幌体５１を構成することができる。
なお、収納時も上述と同様の手順で容易に収納することができる。
【００６０】
さらに、図６（ａ）に示すごとく、他の実施の形態として、上記幌体本体部２２の後側縁部の形状沿いにカバー６２の上端部を結合させるが、該結合部には、上述した幌体本体部２２の前側端部におけるカバー２０の結合と同様に、スライドファスナ６４を上記後側縁部とカバー６４の上端部に逢着している。ここで該カバー６２は、上述した幼児の顔を保護するための前側縁部に付設したカバー２０よりも、乳母車Ａに対して垂下する方向の幅を半分程度の長さで短く形成し、左右方向の幅は該幌体本体部２２の前側縁部のカバー２０と同じ幅に形成したものを用いている。
【００６１】
また、上記カバー６２の外端縁部（下端部）には、該カバー６２を弛張する上記後側縁部の形状と略同形の芯材６３を付設している。さらに、上述した幌体本体部２２の前側縁部に形成したカバー２０の場合と同様に、カバー６２を収納可能な大きさを備えた収納テープ片２１、及び、スナップ２１ａを前端部に相当する後端部の各部位に添着している。
【００６２】
通常、乳母車Ａには、乳母車Ａの座席用マット部材１２ｂと幌体本体部２２との間に隙間が存在するため、例えば風雨が強いときに乳母車Ａの背面における該隙間を通じて雨が入り込んでしまう。これに対して、上記構成を採る乳母車用幌体６１の場合、図６（ａ）、（ｂ）に示すごとく、カバーを乳母車Ａの後側で垂下してやれば、乳母車Ａに対する前後方向の長さが短くても、充分に上記隙間を塞ぐ形態で覆うことができるため、幼児を確実に保護することができる。
【００６３】
もちろん、上述した実施形態を採るカバー２０、３２、５２、６２は、１つの幌体本体部２２に対して、使用目的に応じて任意に取り換えることができる。
【００６４】
また、幌体本体部２２とカバーとの着脱手段として、スライドファスナ４２、６４を例に採り説明したが、その他、面ファスナ、フォック、スナップ等の着脱手段を形成しても構わない。
【００６５】
さらに、カバーの収納手段として収納テープ片２１とスナップ２１ａ、２１ｂとを例に採り説明したが、幌体本体部２２の前側縁部に袋状の部材（ポケット）を設けて、その中に収納する、あるいは紐部材の先端と幌体本体部２２の裏面とに互いが係止可能に一対の面ファスナ、又は、スナップ等を形成してそれらを用いて収納してもよい。
【００６６】
上述の実施形態と、この発明の構成との対応において、
この実施形態の幌体本体部２２は、この発明の幌体に対応し、
以下同様に、
収納テープ片２１、及び、スナップ２１ａ、２１ｂは、収納手段に対応し、
スライドファスナ４２、６４は、着脱手段に対応するも、
この発明は、前述したとおり、上述した実施形態の構成のみに限定されるものではなく、多くの実施の形態を得ることができる。
【図面の簡単な説明】
【図１】乳母車に乳母車用幌体を取り付けた外観図。
【図２】乳母車用幌体の右側面図（ａ）、乳母車用幌体を取り付けた乳母車の上部の外観図（ｂ）、及び乳母車用幌体を取り付けた乳母車の上部の他の外観図。
【図３】乳母車に他の乳母車用幌体を取り付けた外観図。
【図４】さらに他の乳母車用幌体の右側面図。
【図５】手段の他の乳母車用幌体の外観図。
【図６】さらに手段の他の乳母車用幌体の右側面図（ａ）、さらに手段の他の乳母車用幌体の背面図（ｂ）。
【符号の説明】
Ａ…乳母車
２２…幌体本体部
１４、３１、４１、５１、６１…乳母車用幌体
２０、３２、５２、６２…カバー
１０、５３…芯材
２１…収納テープ片
２１ａ、２１ｂ…スナップ
４２、６４…スライドファスナ
【図１】
2004291930.tif 000003
【図２】
2004291930.tif 000004
【図３】
2004291930.tif 000005
【図４】
2004291930.tif 000006
【図５】
2004291930.tif 000007
【図６】
2004291930.tif 000008